(57)【要約】【課題】  ろう付け不良を少なくすることができるろう付け装置の提供【解決手段】  ろう付け装置１００は、遮熱板１０９は、板状の近赤外線照射空間Ｒ１０７とろう付け空間Ｒ１０３との間に位置する遮熱板１０９を有している。遮熱板１０９は、平板形状を有している。また、遮熱板１０９は、石英ガラスを用いて形成されている。石英ガラスは無機質断熱材であるため、遮熱板１０９は、近赤外線照射空間Ｒ１０７からろう付け空間Ｒ１０３への熱の移動を遮断できる。なお、石英ガラスは、波長が約３μｍ以上の遠赤外線領域では透過率がほぼゼロになる。つまり、石英ガラスは、遠赤外線を遮断する一方、近赤外線は透過する。これにより、熱交換器ＨＥを近赤外線によってのみ加熱することができるので、熱交換器ＨＥを均一に加熱することができる。よって、ろう付け不良を防止することができる。【選択図】  図２
2013252547.tif 000002
【特許請求の範囲】
【請求項１】
積層された複数の板状のフィン、積層された前記フィンを挿通する管、及び、所定の前記管を接続する連結管を有する熱交換器の前記管と前記連結管との接続部を近赤外線を用いてろう付けするろう付け装置であって、
前記熱交換器が配置されるろう付け空間、
前記ろう付け空間に配置された前記熱交換器の前記連結管側に配置される近赤外線照射手段であって、前記熱交換器に対して近赤外線を照射する近赤外線照射手段、
前記近赤外線照射手段が位置する近赤外線照射空間であって、前記ろう付け空間に隣接して配置される近赤外線照射空間、
前記近赤外線照射空間と前記ろう付け空間との間に位置し、前記近赤外線を透過し、熱を遮断する遮熱手段、
を有するろう付け装置。
【請求項２】
請求項１に係るろう付け装置において、さらに、
前記近赤外線照射空間と前記ろう付け空間との間に位置し、前記近赤外線を遮光する近赤外線遮光手段、
を有するろう付け装置。
【請求項３】
請求項２に係るろう付け装置において、
前記遮熱手段は、
前記石英ガラスであること、
を特徴とするろう付け装置。
【請求項４】
請求項３に係るろう付け装置において、
前記近赤外線遮光手段は、
前記石英ガラスの表面に形成されること、
を特徴とするろう付け装置。
【請求項５】
請求項１〜請求項４に係るろう付け装置のいずれかにおいて、
前記近赤外線照射手段は、
複数の前記近赤外線照射手段を有すること、
を特徴とするろう付け装置。
【請求項６】
請求項１〜請求項５に係るろう付け装置のいずれかにおいて、
前記近赤外線照射手段は、
円筒形状を有すること、
を特徴とするろう付け装置。
【請求項７】
請求項１〜請求項６に係るろう付け装置にいずれかにおいて、
前記ろう付け空間は、
前記ろう付け対象を導入する導入開口、
前記ろう付け対象を導出する導出開口、
を有し、
前記ろう付け対装置は、さらに、
前記ろう付け対象を前記導入開口から前記導出開口まで連続的に搬送する搬送手段、
を有すること、
を特徴とするろう付け装置。
【発明の詳細な説明】
【技術分野】
【０００１】
本発明は、ろう付け装置に関し、特に近赤外線を用いるものに関する。
【背景技術】
【０００２】
従来のろう付け装置について図８を用いて説明する。図８に示すように、ろう付け装置Ａ１は、複数の接合部の各々に対向する反射鏡１６と該反射鏡１６内に配置された近赤外線照射源１８とを有する近赤外線照射装置１４と、近赤外線照射源１８に接続されたコントローラ２０，２２，２４とを設け、複数の接合部の熱容量が異なる場合に、近赤外線照射源１８の出力制御をコントローラ２０，２２，２４で行うことにより接合部に応じて照射エネルギ分布を変更するようにした。これにより、ろう付け装置Ａ１は、近赤外線照射加熱を利用して、冷凍サイクルを構成する熱交換器等の種々の金属部品を同時に大気中で接合することができる。
【先行技術文献】
【特許文献】
【０００３】
【特許文献１】特開２００４−３５８４８３号公報
【発明の概要】
【発明が解決しようとする課題】
【０００４】
前述の従来のろう付け装置Ａ１には、以下に示すような改善すべき点がある。前述のろう付け装置Ａ１は、図９に示すような熱交換器２をろう付け対象としている。熱交換器２は、ヘッダ４と冷媒管６との接続部をろう付け部としている。ヘッダ４と冷媒管６との接合部の形状、大きさは、全て均一である。また、ヘッダ４と冷媒管６との接合部は、全て外表面に位置している。
【０００５】
このため、近赤外線照射源１８を均一に照射することによって、ヘッダ４と冷媒管６との接合部を均一にろう付けすることが可能となる。
【０００６】
一方、近年においては、熱効率をより高めることができる高熱効率型の空調用熱交換器ＨＥが登場している。空調用熱交換器ＨＥの一例を、図１０に示す。空調用熱交換器ＨＥは、層された複数の板状のフィン９ｃ、積層された前記フィンを挿通する直線状銅管９ａ、及び、所定の直線状銅管９ａを接続する連結銅管９ｂを有する。直線状銅管９ａには、異なる大きさの連結銅管９ｂが接続される。また、各連結銅管９ｂの形状も異なり、それらが複雑に配置されている。なお、以下においては、連結銅管全体を意図する際には連結銅管９ｂと記述し、個別の連結銅管を意図する際には連結銅管９ｂ−Ｘ（Ｘ＝１、２、３・・・）と記述する。
【０００７】
このような高効率型の空調用熱交換器ＨＥにおける連結銅管の配置構造は、熱交換器の仕様によって大きく異なる。空調用熱交換器ＨＥに対して、ろう付け装置Ａ１のように、近赤外線照射源１８の出力制御によって接合部に応じた照射エネルギ分布を均一にするだけで、ろう付け不良をなくすことは難しい。それは以下の理由による。
【０００８】
近赤外線照射源１８は、近赤外線を放射するだけでなく、近赤外線照射源１８の周囲の空気も加熱する。加熱された空気は、各連結銅管９ｂと接触し、加熱する。つまり、連結銅管９ｂは、近赤外線及び加熱空気によって加熱される。
【０００９】
ここで、加熱空気による連結銅管９ｂの加熱は、加熱空気と連結銅管９ｂとの接触面積によって決定される。加熱空気との接触する面積が多い、つまり大きい連結銅管９ｂ−１や、より外側に位置する連結銅管９ｂ−３は、加熱空気によって加熱されやすい。一方、小さく、内部に位置する連結銅管９ｂ−５は、加熱空気によって加熱されにくい。このように、加熱空気による加熱が連結銅管９ｂ毎に異なるため、結果的に、全ての連結銅管９ｂを均等に加熱できない。
【００１０】
そこで、本発明は、簡易な構成で熱交換器のろう付け不良を少なくすることができる熱交換器のろう付け装置の提供を目的とする。
【発明の効果】
【００１１】
本発明における課題を解決するための手段及び発明の効果を以下に示す。
本発明に係るろう付け装置は、積層された複数の板状のフィン、積層された前記フィンを挿通する管、及び、所定の前記管を接続する連結管を有する熱交換器の前記管と前記連結管との接続部を近赤外線を用いてろう付けするろう付け装置であって、前記熱交換器が配置されるろう付け空間、前記ろう付け空間に配置された前記熱交換器の前記連結管側に配置される近赤外線照射手段であって、前記熱交換器に対して近赤外線を照射する近赤外線照射手段、前記近赤外線照射手段が位置する近赤外線照射空間であって、前記ろう付け空間に隣接して配置される近赤外線照射空間、前記近赤外線照射空間と前記ろう付け空間との間に位置し、前記近赤外線を透過し、熱を遮断する、を有する。
【００１２】
これにより、近赤外線が加熱する加熱空気による熱交換器の過熱を防止し、近赤外線のみによって熱交換器を加熱することができる。よって、熱交換器を均一に加熱することができるので、ろう付け不良を少なくすることができる。
【００１３】
本発明に係るろう付け装置は、さらに、前記近赤外線照射空間と前記ろう付け空間との間に位置し、前記近赤外線を遮光する近赤外線遮光手段、を有する。
【００１４】
これにより、遮熱板を介して熱交換器に到達する近赤外線の透過量を容易に調整することができる。よって、管、連結管、及び、管と連結管との接続部を均一に加熱することができる。
本発明に係るろう付け装置では、前記遮熱手段は、前記石英ガラスであること、を特徴とする。
【００１５】
これにより、簡単な構成で、近赤外線が加熱する加熱空気による熱交換器の加熱を防止することができる。
【００１６】
本発明に係るろう付け装置では、前記近赤外線遮光手段は、前記石英ガラスの表面に形成されること、を特徴とする。
【００１７】
これにより、遮熱板を介して熱交換器に到達する近赤外線の透過量を容易に調整することができる。
【００１８】
本発明に係るろう付け装置では、複数の前記近赤外線照射手段を有すること、を特徴とする。
【００１９】
これにより、ろう付け対象全体を、より均一に加熱することができる。よって、ろう付け部近傍における温度変化をより少なくすることができるので、ろう付け不良をさらに少なくすることができる。
【００２０】
本発明に係るろう付け装置では、前記近赤外線照射手段は、円筒形状を有すること、を特徴とする。
【００２１】
これにより、ろう付け対象全体を、より均一に加熱することができる。よって、ろう付け部近傍における温度変化をより少なくすることができるので、ろう付け不良をさらに少なくすることができる。
【００２２】
本発明に係るろう付け装置では、前記ろう付け空間は、前記ろう付け対象を導入する導入開口、前記ろう付け対象を導出する導出開口、を有し、前記ろう付け対装置は、さらに、前記ろう付け対象を前記導入開口から前記導出開口まで連続的に搬送する搬送手段、を有すること、を特徴とする。
【００２３】
これにより、ろう付け対象全体を、より均一に加熱することができる。よって、ろう付け部近傍における温度変化をより少なくすることができるので、ろう付け不良をさらに少なくすることができる。
【図面の簡単な説明】
【００２４】
【図１】本発明に係るろう付け装置の一実施例であるろう付け装置１００の正面図である。
【図２】ろう付け装置１００の図１におけるＸ−Ｘ断面を示す図である。
【図３】赤外線照射ユニット１０７の斜視図である。
【図４】近赤外線ランプ１０７ａによるろう付けの概念を示す図である。
【図５】本発明に係るろう付け装置のその他の実施例を示す図である。
【図６】本発明に係るろう付け装置のその他の実施例を示す図である。
【図７】本発明に係るろう付け装置のその他の実施例を示す図である。
【図８】従来のろう付け装置Ａ１を示す図である。
【図９】従来のろう付け装置Ａ１を示す図である。
【図１０】高効率型の空調用熱交換器ＨＥの一例を示す図である。
【図１１】ろう付け装置２００における遮熱板２０９を示す図である。
【図１２】ろう付け装置２００における遮熱板２０９を示す図である。
【図１３】その他の実施形態に係る遮熱板２０９の遮光部３０９ａを示す図である。
【図１４】その他の実施形態に係る遮光板４０９を示す図である。
【発明を実施するための形態】
【００２５】
以下、本発明の実施例について、図面を参照しながら詳細に説明していく。
【実施例１】
【００２６】
第１  ろう付け装置１００の全体構成
本発明の一実施例であるろう付け装置１００は、高効率型空調用熱交換器ＨＥ（以下、空調用熱交換器ＨＥ）の所定部分にろう付け加工を施す装置である。ろう付け装置１００の全体構成について図１、図２を用いて説明する。図１は、ろう付け装置１００の正面図を示している。図２は、ろう付け装置１００の図１におけるＸ−Ｘ断面（空調用熱交換器ＨＥを除く）を示している。なお、以下においては、図１に示す矢印ａ２００方向を幅方向、図２に示す矢印ａ１００方向を搬送方向とする。なお、図１、図２においては、空調用熱交換器ＨＥは、図１０に示すものと同様である。但し、図１、図２においては、空調用熱交換器ＨＥは特徴を示しつつ、簡略して記載している。
【００２７】
図１に示すように、ろう付け装置１００は、コンベア１０１、筐体１０３、赤外線照射ユニット１０７、及び遮熱板１０９を有している。
【００２８】
筐体１０３は、内部に、ろう付け空間Ｒ１０３及び近赤外線照射空間Ｒ１０７を有している。ろう付け空間Ｒ１０３は、空調用熱交換器ＨＥに対するろう付けを行うための空間である。近赤外線照射空間Ｒ１０７は、ろう付け空間Ｒ１０３に配置された空調用熱交換器ＨＥに対して近赤外線を照射する近赤外線ランプ１０７ａ（後述）が配置される空間である。ろう付け空間Ｒ１０３と近赤外線照射空間Ｒ１０７とは、遮熱板１０９（後述）を介して隣接して配置されている。
【００２９】
ろう付け空間Ｒ１０３は、矩形状の空間であり、空調用熱交換器ＨＥを包含する。図２に示すように、ろう付け空間Ｒ１０３は、導入開口Ａ１０１及び導出開口Ａ１０３を有している。導入開口Ａ１０１は、空調用熱交換器ＨＥを外部からろう付け空間Ｒ１０３の内部に導入するための開口である。導出開口Ａ１０３は、空調用熱交換器ＨＥをろう付け空間Ｒ１０３の内部から外部に導出するための開口である。導入開口Ａ１０１及び導出開口Ａ１０３は、幅方向ａ２００に平行に形成される。
【００３０】
近赤外線照射空間Ｒ１０７は、矩形状の空間である。赤外線照射空間Ｒ１０７には、赤外線照射ユニット１０７の近赤外線ランプ１０７ａが配置される。赤外線ランプ１０７ａは、コンベア１０１によってろう付け空間Ｒ１０３に搬送された空調用熱交換器ＨＥに近赤外線を照射する。ろう付け装置１００では、赤外線照射空間Ｒ１０７は、ろう付け空間Ｒ１０３において熱交換器ＨＥの連結銅管９ｂが配置される側、即ち、ろう付け空間Ｒ１０３の上部側に配置される。
【００３１】
赤外線照射ユニット１０７については、後述する。なお、図１、図２においては、赤外線照射ユニット１０７を所定位置に固定するための固定機構、赤外線照射ユニット１０７に接続される電気配線や電源等については記載を省略している。
【００３２】
図１に戻って、コンベア１０１は、空調用熱交換器ＨＥを、導入開口Ａ１０１を介して、ろう付け装置１００の外部から内部のろう付け空間Ｒ１０３に搬送する。また、コンベア１０１は、導出開口Ａ１０３を介して、ろう付け装置１００の内部のろう付け空間Ｒ１０３に搬送した空調用熱交換器ＨＥを、ろう付け装置１００の外部に搬送する。コンベア１０１は、導入開口Ａ１０３から導出開口Ａ１０３まで、空調用熱交換器ＨＥを連続的に所定の速度で搬送する。なお、コンベア１０１には、連結銅管９ｂが上に位置するように空調用熱交換器ＨＥを配置する。
【００３３】
第２  遮熱板１０９
１．構成
遮熱板１０９は、平板形状を有している。また、遮熱板１０９は、石英ガラスを用いて形成されている。石英ガラスは無機質断熱材であるため、遮熱板１０９は、近赤外線照射空間Ｒ１０７からろう付け空間Ｒ１０３への熱の移動を遮断できる。なお、石英ガラスは、波長が約３μｍ以上の遠赤外線領域では透過率がほぼゼロになる。つまり、石英ガラスは、遠赤外線を遮断する一方、近赤外線は透過する。
【００３４】
遮熱板１０９は、板状の近赤外線照射空間Ｒ１０７とろう付け空間Ｒ１０３との間に位置する。遮熱板１０９は、所定の固定部材を用いて筐体１０３に固定される。なお、固定部材については、記載を省略する。
【００３５】
２．効果
前述のように、近赤外線ランプ１０７ａに用いられるハロゲンランプは、２０００℃〜２８００℃程度の発熱体から放射される光を利用しているため、近赤外線ランプ１０７ａの周囲の空気は、近赤外線ランプ１０７ａによって加熱される。加熱された空気は、ろう付け対象である空調用熱交換器ＨＥの連結銅管９ｂと接触し、連結銅管９ｂを加熱する。つまり、連結銅管９ｂは、近赤外線ランプ１０７ａが照射する近赤外線によって加熱されるとともに、近赤外線ランプ１０７ａによって加熱された加熱空気によっても加熱されている。
【００３６】
ここで、加熱空気による連結銅管９ｂの加熱は、加熱空気と連結銅管９ｂとの接触面積によって決定される。表面積が多い、つまり大きい連結銅管９ｂ、及び、より外部に位置する連結銅管９ｂは、加熱空気によって加熱されやすい。このため、加熱空気による加熱が連結銅管９ｂ毎に異なるため、結果的に、全ての連結銅管９ｂを均等に加熱できない。
【００３７】
このような近赤外線ランプ１０７ａによる加熱空気が、ろう付け対象を不均一に加熱し、結果として、ろう付け不良が発生する場合があることは、これまで当業者においても明らかになっていなかった。このような知見は、発明者が、長年の研究、経験により明らかにしたものである。
【００３８】
前述の知見に基づき、ろう付け装置１００では、近赤外線照射空間Ｒ１０７とろう付け空間Ｒ１０３との間に遮熱板１０９を配置している。これにより、近赤外線照射空間Ｒ１０７の空気が加熱されたとしても、ろう付け空間Ｒ１０３の空気が加熱されることはない。
【００３９】
ろう付け装置１００では、近赤外線ランプ１０７ａが周囲空気を加熱することによって加熱空気が発生することを防止するのではなく、加熱空気の発生は容認する一方、加熱空気による熱伝達を防止している。このような視点により、遮熱板１０９を配置するという簡易な構成で、均一なろう付けを実現することが可能となった。
【００４０】
これにより、ろう付け装置１００は、ろう付け空間Ｒ１０３に配置された熱交換器ＨＥを、近赤外線ランプ１０７ａから照射された近赤外線によってのみ加熱することができる。熱交換器ＨＥに照射された近赤外線は、熱交換器ＨＥの内部を透過しつつ、熱交換器ＨＥを内部から加熱するため、ろう付け装置１００は、連結銅管９ｂの形状、大きさに関わらずほぼ全ての連結銅管９ｂを均等に加熱することができる。つまり、熱交換器ＨＥに異なる形状、異なる大きさの連結銅管９ｂが、異なる状態で複数配置されていたとしても、ろう付け装置１００は、全ての連結銅管９ｂを均等に加熱できる。つまり、ろう付け装置１００は、連結銅管９ｂを均等にろう付けできる。したがって、ろう付け装置１００を用いることによって、ろう付け不良の発生を低減することができる。
【００４１】
第３  赤外線照射ユニット１０７の構成
赤外線照射ユニット１０７の構成について図１〜図３を用いて説明する。図２に示すように、赤外線照射ユニット１０７は、複数の近赤外線ランプ１０７ａを有している。  近赤外線ランプ１０７ａは、円筒状のガラス面を有しており、ガラス面で囲まれた空間に近赤外線を発光するフィラメントが位置している。本実施例においては、近赤外線ランプ１０７ａとしては、０．７５μｍ〜２．０μｍの波長の近赤外線を照射するハロゲンランプを用いている。ハロゲンランプは、２０００℃〜２８００℃程度の発熱体から放射される光を利用している。なお、ハロゲンランプは、投入電力の８０％〜９０％を赤外線として放射する。このため、近赤外線によるろう付けを行う熱源としてみると、ハロゲンランプは、非常にエネルギー効率が高い熱源となる。
【００４２】
近赤外線ランプ１０７ａは、搬送方向ａ１００に沿って、所定の間隔で配置される。また、近赤外線ランプ１０７ａのそれぞれは、ろう付け空間Ｒ１０３の上側に位置する近赤外線照射空間Ｒ１０７に配置される。さらに、図１に示すように、近赤外線ランプ１０７ａのそれぞれは、幅方向ａ２００に沿って配置される。
【００４３】
図３に示すように、近赤外線ランプ１０７ａは、所定のガイシ１０７ｂを介して赤外線照射ユニット１０７に固定される。赤外線照射ユニット１０７は、一列に固定された近赤外線ランプ１０７ａの上部に水冷リフレクタ１０７ｃを有している。水冷リフレクタ１０７ｃは、近赤外線によって赤外線照射ユニット１０７自身が加熱されることを防止する。なお、赤外線照射ユニット１０７の上部には、水冷リフレクタ１０７ｃで用いる冷媒を循環させるための吸水部１０７ｄ、排水部１０７ｅを有している。
【００４４】
ろう付け装置１００における近赤外線を用いたろう付けの概念について図４を用いて説明する。図４は、コンベア１０１によって空調用熱交換器ＨＥがろう付け空間Ｒ１０３に搬送されてきたときの近赤外線ランプ１０７ａ及び空調用熱交換器ＨＥの接続銅管９ｂの状態を示しており、図４Ａは図２に対応する右側面から見た状態を、図４Ｂは図１に対応する正面から見た状態を、それぞれ示している。
【００４５】
図４Ａに示すように、近赤外線ランプ１０７ａは、放射状に近赤外線を放射する。なお、近赤外線ランプ１０７ａは、ガラス面の上半分に鏡面加工部１０７ｍを有している。これにより、近赤外線ランプ１０７ａから上側に放射された近赤外線を、下側、つまり空調用熱交換器ＨＥ側に反射することができる。よって、近赤外線ランプ１０７ａが照射する近赤外線を効率よく空調用熱交換器ＨＥのろう付けに利用することができる。
【００４６】
各近赤外線ランプ１０７ａは、下側に向かって拡散するように、近赤外線を照射する。このため、連結銅管９ｂは、複数の近赤外線ランプ１０７ａから、放射強度の異なる近赤外線の照射を受けることになる。また、１つの連結銅管９ｂから見ると、その連結銅管９ｂと各近赤外線ランプ１０７ａとの距離は同一ではない。さらに、空調用熱交換器ＨＥはコンベア１０１によって所定の速度で搬送されているため、各近赤外線ランプ１０７ａと連結銅管９ｂとの位置関係は、時々刻々変化する。
【００４７】
このような近赤外線ランプ１０７ａによる連結銅管９ｂの全体的な加熱は、図４Ｂに示すように、正面から見た状態においても同様である。
【００４８】
このように、ろう付け装置１００では、連結銅管９ｂ全体が近赤外線によって加熱される。連結銅管９ｂは全体的に加熱されるため、ろう付け部１０近傍のみが他の部分に比して極端に加熱されることはない。
【００４９】
このように、ろう付け装置１００では、ろう付け部１０近傍のみを加熱するのではなく、直線状銅管９ａ（主として直線状銅管９ａの端部）及び連結銅管９ｂといったろう付け対象全体を加熱する。これにより、ろう付け部近傍での温度プロファイルの変化を少なくすることができる。つまり、ろう付け部近傍での温度プロファイルの変化に基づくろう付け不良を防止することができる。
【実施例２】
【００５０】
前述の実施例１におけるろう付け装置１００では、近赤外線照射空間Ｒ１０７とろう付け空間Ｒ１０３との間に遮熱板１０９を配置している。一方、本実施例に係るろう付け装置２００は、実施例１における遮熱板１０９の表面に所定の遮光パターンを配置する遮熱板２０９を配置するものである。以下においては、実施例１と同様の構成要素については実施例１と同じ符号を付し、詳細な説明を省略する。
【００５１】
第１  ろう付け装置２００の全体構成
本実施例に係るろう付け装置２００の全体構成は、実施例１に係るろう付け装置１００と同様である（図１参照）。但し、実施例１における遮熱板１０９に代わって、遮熱板２０９を配置している。
【００５２】
第２  遮熱板２０９
１．構成
遮熱板２０９について、図１１、図１２を用いて説明する。図１１は、である。図１２は、遮熱板２０９を上側から見た状態を示したものである。遮熱板２０９は、実施例１における遮熱板１０９の表面に所定の遮光部２０９ａを配置したものである。従って、遮光部２０９ａを除き、遮熱板１０９と同様である。以下において、遮熱板２０９に形成される遮光部２０９ａについて説明する。
【００５３】
遮熱板２０９の表面には、シリカ系・セラミック系の塗料を塗布した遮光部２０９ａが形成される。図１２に示すように、遮光部２０９ａは、遮熱板２０９の中央部に直線状に形成される。これにより、図１１に示すように、遮光部２０９ａは、直線状銅管９ａ、連結銅管９ｂ、及び、直線状銅管９ａと連結銅管９ｂとのろう付け部１０を覆うように形成される。
【００５４】
このように、遮熱板２０９の表面に遮光部２０９ａを形成することによって、遮熱板２０９を透過する近赤外線の照射エネルギー量を制御することができる。熱交換器ＨＥの連結銅管９ｂは、熱交換器ＨＥの構造から、ろう付け部１０よりも近赤外線ランプ１０７ａに近く位置する。このため、連結銅管９ｂは、多くの近赤外線の照射エネルギーを受けることになる。よって、遮熱板２０９の表面に遮光部２０９ａを形成することによって、ろう付け部１０、直線状銅管９ａ、連結銅管９ｂに照射される近赤外線のエネルギー量を、遮光部２０９ａを形成しない場合に比して、ほぼ領域Ｒ２０９分だけ、減少させることができる。結果として、ろう付け部１０、直線状銅管９ａ、連結銅管９ｂに照射される近赤外線のエネルギー量を均一化させることができる。これにより、
ろう付け不良を防止することができる。
【００５５】
［その他の実施形態］
（１）遮熱板１０９  ：  前述の実施例１においては、遮熱板１０９は平板形状を有しているとしたが、例示のものに限定されない。例えば、図５Ａに示すように、搬送方向（矢印ａ１００方向）に曲面形状の遮熱板１０９ａや、図５Ｂに示すように、搬送方向（矢印ａ１００方向）に不連続な平面形状の遮熱板１０９ｂであってもよい。また、図５Ｃに示すように、幅方向（矢印ａ２００方向）に曲面形状の遮熱板１０９ａや、図５Ｄに示すように、幅方向（矢印ａ２００方向）に不連続な平面形状の遮熱板１０９ｂであってもよい。
【００５６】
また、前述の実施例において、遮熱板１０９は、石英ガラスにより形成されているとしたが、近赤外線を透過し、熱を遮断する者であれば例示のものに限定されない。
【００５７】
（２）近赤外線ランプ１０７ａの形状と配置  ：  前述の実施例１においては、円筒状の近赤外線ランプ１０７ａを所定間隔で直線上に配置するとしたが、例示のものに限定されない。例えば、球状の近赤外線ランプをマトリック状に配置するようにしてもよい。
【００５８】
また、円筒状の近赤外線ランプ１０７ａを、図６Ａに示すような曲面状に、また、図６Ｂに示すような不連続な平面状に、配置するようにしてもよい。
【００５９】
（３）近赤外線ランプ１０７ａの配置位置  ：  前述の実施例１においては、近赤外線ランプ１０７ａは、ろう付け空間Ｒ１０３の上部側に配置されるとしたが、ろう付け空間Ｒ１０３に隣接する位置であれば例示のものに限定されない。例えば、図７に示すように、近赤外線ランプ１０７ａを、ろう付け空間Ｒ５０３の左側、右側のそれぞれに隣接する近赤外線照射空間Ｒ５０７に配置するようにしてもよい。合わせて、遮熱板５０９を、ろう付け空間Ｒ５０３と近赤外線照射空間Ｒ５０７との間に配置する。また、近赤外線ランプ１０７ａをろう付け空間Ｒ５０３の下側に位置する近赤外線照射空間に配置し、遮熱板をろう付け空間Ｒ５０３と近赤外線照射空間との間に配置するようにしてもよい（図示せず）。
【００６０】
（４）空調用熱交換器ＨＥ  ：  前述の実施例１においては、ろう付け対象として高効率型の空調用熱交換器ＨＥを示したが、ろう付けが必要となるものであれば、例示のものに限定されない。
【００６１】
（５）コンベア１０１  ：  前述の実施例１においては、コンベア１０１は、ろう付け対象である空調用熱交換器ＨＥを所定の速度で連続的に搬送するものとしたが、ろう付け対象を搬送するものであれば、例示のものに限定されない。例えば、空調用熱交換器ＨＥの位置によって搬送速度を変化させるものであってもよい。
【００６２】
（６）鏡面加工部１０７ｍ  ：  前述の実施例１においては、近赤外線ランプ１０７ａはガラス面の上半分に鏡面加工部１０７ｍを有しているとしたが、鏡面加工部１０７ｍを設けなくともよい。
【００６３】
（７）遮光部２０９ａ：前述の実施例２においては、遮光部２０９ａは、遮熱板２０９の中央部に直線状に形成したが、遮熱板２０９を透過する近赤外線の照射エネルギー量を制御し、ろう付け部１０、直線状銅管９ａ、連結銅管９ｂに照射される近赤外線のエネルギー量を均一化できるものであれば、例示のものに限定されない。例えば、図１３に示すように、塗料の塗布量を変化させることによって、濃淡を有する遮光部３０９ａを形成するようにしてもよい。
【００６４】
また、シリカ系・セラミック系の塗料を塗布することによって遮光部２０９ａを形成したが、ろう付け部１０、直線状銅管９ａ、連結銅管９ｂに照射される近赤外線のエネルギー量を均一化できるものであれば、例示のものに限定されない。例えば、近赤外線の透過量を調整するフィルム等を貼り付けるようにしもよい。
【００６５】
さらに、前述の実施例２においては、遮光部２０９ａは、遮熱板２０９の表面に形成し、遮熱板２０９と一体としたが、遮熱板２０９とは別の物体として形成してもよい。例えば、図１４に示すように、遮熱板１０９から離れて、所定の位置に平板状の遮光板４０９を配置するようにしてもよい。
【００６６】
さらに、前述の実施例２においては、遮光部２０９ａは、遮熱板２０９の表面、近赤外線ランプ１０７ａ側の表面に形成していたが、空調用熱交換器ＨＥ側の表面に形成してもよい。遮光板４０９についても同様である。
【産業上の利用可能性】
【００６７】
本発明に係るろう付け装置は、例えば、高効率型の空調用熱交換器のろう付けに用いることができる。
【符号の説明】
【００６８】
１００・・・・・ろう付け装置
１０１・・・・・コンベア
１０３・・・・・筐体
１０７・・・・・赤外線照射ユニット
１０７ａ・・・近赤外線ランプ
３０７ａ・・・近赤外線ランプ
４０７ａ・・・近赤外線ランプ
１０９・・・・・遮熱板
１０９ａ・・・遮熱板
１０９ｂ・・・遮熱板
１０９ｃ・・・遮熱板
１０９ｄ・・・遮熱板
Ｒ１０３・・・・ろう付け空間
Ａ１０１・・・・導入開口
Ａ１０３・・・・導出開口
Ｓ１０１・・・・上面
Ｓ１０３・・・・側面
Ｓ１０５・・・・側面
ＨＥ・・・・・高効率型空調用熱交換器
９ａ・・・・直線状銅管
９ｂ・・・・連結銅管
２０９・・・・・遮熱板
２０９ａ・・・遮光部
【図１】
2013252547.tif 000003
【図２】
2013252547.tif 000004
【図３】
2013252547.tif 000005
【図４】
2013252547.tif 000006
【図５】
2013252547.tif 000007
【図６】
2013252547.tif 000008
【図７】
2013252547.tif 000009
【図８】
2013252547.tif 000010
【図９】
2013252547.tif 000011
【図１０】
2013252547.tif 000012
【図１１】
2013252547.tif 000013
【図１２】
2013252547.tif 000014
【図１３】
2013252547.tif 000015
【図１４】
2013252547.tif 000016